(57)【要約】【課題】  極めて低コストで得られ、カーテンを洗濯する際の昇降コードの着脱操作が容易な昇降コードガイド部材を提供する。【解決手段】  カーテンの一方の面に縦方向に縫着されるテープ部材２と、このテープ部材２の表面に縦方向に所定の相互間隔をおいて取り付けられる複数のリング部材３とを具備させて昇降コードガイド部材１を構成する。テープ部材３は、面ファスナテープで構成する。リング部材３には、昇降コード１４を挿通させる挿通部４を有するリング部材本体５と、リング部材本体５に固着された面ファスナ片６とを具備させ、この面ファスナ片６を面ファスナテープに係合させて着脱自在に構成する。リング部材３のファスナ片６は、リング部材本体に接着し、又は縫着して固定することができる。【選択図】  図１
2007236566.tif 000002
【特許請求の範囲】
【請求項１】
カーテンの一方の面に縦方向に縫着されるテープ部材と、このテープ部材の表面に縦方向に所定の相互間隔をおいて取り付けられる複数のリング部材とを具備し、カーテンの一方の面に沿って垂下する昇降コードをリング部材に挿通させてガイドするための部材であって、
前記テープ部材は、面ファスナテープからなり、
前記リング部材は、昇降コードを挿通させる挿通部を有するリング部材本体と、リング部材本体に固着された面ファスナ片とを具備し、この面ファスナ片を前記面ファスナテープに係合させて着脱自在に構成されることを特徴とする昇降コードガイド部材。
【請求項２】
前記リング部材のファスナ片が、リング部材本体に接着されていることを特徴とする請求項１に記載の昇降コードガイド部材。
【請求項３】
前記リング部材のファスナ片が、リング部材本体に縫着されていることを特徴とする請求項１に記載の昇降コードガイド部材。
【発明の詳細な説明】
【技術分野】
【０００１】
この発明は、カーテンの昇降コードガイド用リングテープに関する。
【背景技術】
【０００２】
カーテンの昇降コードガイド用リングテープは、カーテンに縦方向に縫着されるテープの表面に、カーテンの昇降コードを挿通する複数の合成樹脂製のリングを一定間隔で取り付けたものである。カーテンの下裾部には重りが取り付けられ、昇降コードの下端は最下段のリングに係止される。昇降コードを引き上げることにより、重り入りの下裾部が順次上段のリングを押し上げて行き、上下のリング間のカーテン布を順次折り曲げつつカーテンを上方へ引き上げるものである。
従来の昇降コードガイド用リングテープとして、特許文献１に記載されたものが知られている。特許文献１の図１２に記載されたリングテープは、幅数センチに一体に織成されたテープ基体に、二重織り部分が一定間隔おきに形成され、この二重織り部分に、合成樹脂製のリングが取り付けられたものである。
上記従来例の欠点は、テープとして、リングを取り付けるための特殊な織り方のものが必要であるため、コストが高くつくことである。また、何らかの原因で、二重織り部分の間隔がずれることがあり、長尺テープ上での間隔のわずかなずれは始端部付近と終端部付近とで大きな差となってあらわれるから、そのままカーテンに逢着すると、リングの取り付け高さに左右で誤差が生じ体裁を損ねるという問題点がある。このため、テープの縫着作業は、二重織り部分の高さ位置がカーテンの横方向に揃うように注意を払いながら慎重に行う必要がある。
特許文献１の図１ないし図１１に記載されたものは、リングが第一、第二の２部材で構成される。第一部材は、昇降コード挿通孔を持ち、テープの表面側に配置される。第二部材は、テープの裏面側に配置される。第一部材又は第二部材のいずれか一方に形成された突起がテープを貫通して、他方に形成された貫通孔に挿入され、その突出先端部が打撃により押し潰されて第一、第二の２部材が互いに結合される。
このリングテープは、特殊織のテープを用いないが、リングの固着作業が必ずしも容易でなく、低コスト化の障害となる。また、リングが固着されるため、カーテンの洗濯の際に昇降コードを着脱する操作が容易でないという問題点がある。
さらに、テープ上でのリングの固着間隔にずれがあったり、カーテンへの縫着後に何らかの原因で左右のリングテープ上のリングの固着高さにずれが生じることがあったりしても、これを事後に矯正することができないという問題点がある。また、使用者が任意にカーテンの吊り上げ位置を変更して変化を楽しむこともできない。
【特許文献１】特開２００３−１１１６６４号公報
【発明の開示】
【発明が解決しようとする課題】
【０００３】
本発明は、高価な特殊織のテープを用いず、またリング固着作業が不要で、極めて低コストで得られ、さらにカーテンを洗濯する際の昇降コードの着脱操作が容易で、リングの取付位置を任意に選択できる昇降コードガイド部材を提供することを課題とする。
【課題を解決するための手段】
【０００４】
本発明においては、上記課題を解決するため、カーテンの一方の面に縦方向に縫着されるテープ部材と、このテープ部材の表面に縦方向に所定の相互間隔をおいて取り付けられる複数のリング部材とを具備させて昇降コードガイド部材を構成する。テープ部材は、面ファスナテープで構成する。リング部材には、昇降コードを挿通させる挿通部を有するリング部材本体と、リング部材本体に固着された面ファスナ片とを具備させ、この面ファスナ片を面ファスナテープに係合させて着脱自在に構成する。
上記リング部材のファスナ片は、リング部材本体に接着し、又は縫着して固定することができる。
【発明の効果】
【０００５】
本発明においては、面ファスナテープを用いるので、高価な特殊織のテープを用いる必要がない。またリング部材は、面ファスナ片を介して面ファスナテープに極めて容易に着脱できるので、リング固着作業が不要で、極めて低コストで得られる。カーテンを洗濯する際には、昇降コードをリング部材もろともカーテンから取り外すことができ、その後の装着も容易である。リング部材の装着位置は、任意に選択、変更できるので、カーテン布への面ファスナテープの縫着時に、リング部材の装着位置を意に介することなく、迅速に作業を進めることができるし、使用者がカーテンの引き上げ形態を任意に変更して装飾的変化を楽しむことができる。
【発明を実施するための最良の形態】
【０００６】
図面を参照してこの発明の実施の形態を説明する。図１は本発明の昇降コードガイド部材の使用状態の正面図、図２は本発明の昇降コードガイド部材一部の側面図、図３は本発明の昇降コードガイド部材一部の斜視図である。
【０００７】
図１において、レール１１は、例えば窓の上縁に沿って水平方向に固定され、カーテン布１２は、上縁部においてレール１１の一方の面に、面ファスナ１３を介して吊り止められる。カーテン布１２の下縁には、ウェイトバー１８が挿入される。
【０００８】
昇降コード１４は、カーテン布１２の横方向に所定の相互間隔を置いて昇降コードガイド部材１にガイドされ、カーテン布１２に沿って垂下するように複数本設けられる。昇降コード１４の上端側は、ガイド部材１５を介して直角に屈折し、レール１１内を水平に伸び、レール１１の一端側に固定されたロック装置１６を経て結束具１７により束ねられる。
【０００９】
昇降コードガイド部材１は、テープ部材２とリング部材３からなる。テープ部材２は、カーテン布１２の一方の面に、横方向の所定の相互間隔を置いて複数が縦方向に縫着される。リング部材３は、テープ部材２の表面に、縦方向に所定の相互間隔をおいて複数取り付けられる。
【００１０】
テープ部材２は、面ファスナテープからなる。リング部材３は、昇降コード１４を挿通させる挿通部４を有するリング部材本体５と、リング部材本体５に固着された面ファスナ片６とを具備する。リング部材本体５は、合成樹脂で一体成形される。面ファスナ片６は、テープ部材２に対して任意位置に係合、離脱自在であり、リング部材本体５は、面ファスナ片６を介してテープ部材２の任意位置に固定できる。テープ部材２上におけるリング部材３を係止する位置は予め定まっていないから、テープ部材２の縫着作業時は、縦方向の位置決めのみに配慮すれば足り、迅速に進められる。
【００１１】
面ファスナ片６は、リング部材本体５に接着剤を用いて接着することができるし、リング部材本体５の形状を変えて逢着することもできる。
【００１２】
カーテン布１２に沿って垂下する昇降コード１４は、各昇降コードガイド部材１のリング部材３を通って下端において最下段のリング部材３に係止される。
【００１３】
昇降コード１４の上端側を引き下ろすと、カーテン布１２が下縁部から引き上げられ、順次上段のリング部材３までのカーテン布１２を折り曲げつつ上昇する。昇降コード１４は、ロック装置１６により任意の位置で止めることができる。
【００１４】
カーテン布１２の洗濯が必要なときには、昇降コード１４もろともリング部材３をテープ部材２から外した上で、カーテン布１２をレール１１から外すことができる。洗濯終了後には、カーテン布１２をレール１１係止した後、昇降コード１４を通したままのリング部材３を、予め目印を付してあるテープ部材２上の所定位置へ係合させる。これで、リング部材３の取り付けと昇降コード１４のセットとが同時に完了する。高価な特殊織のテープを用いず、またリング部材３は、面ファスナ片６を介して面ファスナテープに極めて容易に着脱できるので、リングの固着作業が不要で、極めて低コストで得られる。リング部材３の取り付け位置は、テープ部材２に対してではなく、カーテン布１２に対する正確な位置として決定できる。使用者が、リング部材３の取り付け位置を変更してカーテンの形態変化を楽しむこともできる。
【産業上の利用可能性】
【００１５】
この発明は、カーテンを上下方向に開閉させるためにレールからカーテンに沿って垂下するように伸びる昇降コードをガイドするリングテープとして利用される。
【図面の簡単な説明】
【００１６】
【図１】本発明の昇降コードガイド部材の使用状態の正面図である。
【図２】本発明の昇降コードガイド部材一部の側面図である。
【図３】本発明の昇降コードガイド部材一部の斜視図である。
【符号の説明】
【００１７】
１      昇降コードガイド部材
２      テープ部材（面ファスナテープ）
３      リング部材
４      挿通部
５      リング部材本体
６      面ファスナ片
１１      レール
１２      カーテン布
１３      面ファスナ
１４      昇降コード
１５      ガイド部材
１６      ロック装置
１７      結束具
１８      ウェイトバー
【図１】
2007236566.tif 000003
【図２】
2007236566.tif 000004
【図３】
2007236566.tif 000005